(57)【要約】      （修正有）【課題】再生中の音楽に合わせて演奏者にドラム等の楽器を演奏させて両者を合成して聞くことを可能にし、的確に演奏させることが出来るようにする。【解決手段】楽曲データを記憶部から読み出し再生するプレーヤ１と、複数種類の楽器の演奏データを記憶する記憶部と、記憶部から演奏データを読み出して再生する演奏データ再生部と、複数の前記演奏データの各々に対応して再生のトリガとなる複数個のスイッチと、前記プレーヤ１が再生した音楽に前記演奏データ再生部が出力する演奏データを重畳して出力端子１４に出力する重畳部とを、前記複数個のスイッチの各々がどの演奏データに係るものであるかが手探りでも分かるような且つ衣類などのポケットに入る程度の小さなサイズのケースに納めて音楽プレーヤ１とした。また、前記複数個のスイッチを音楽プレーヤ１の前記ケースとは別のスイッチボックスに設けて成るものとした。【選択図】図１
2012008509.tif 000002
【特許請求の範囲】
【請求項１】
楽曲データを楽曲データ記憶部から読み出して再生する携帯型のケースに納められた音楽プレーヤに於いて、複数種類の楽器演奏データを記憶するための楽器演奏データ記憶部と、前記複数の楽器演奏データの各々に対応して再生のトリガとなる複数個のスイッチと、前記複数個のスイッチの何れか一が操作された時に、この操作されたスイッチに対応する前記楽器演奏データを前記楽器演奏データ記憶部から読み出して前記楽曲データに重畳して出力する重畳部とから成る電子楽器を前記ケースに内蔵すると共に、前記ケースは衣類などのポケットに入る程度の小さなサイズのものであり、且つ前記複数個のスイッチの各々がポケットの中に入れたまま手探りで複数種類の前記楽器演奏データの何れに対応するものであるかが分かるように設けられていることを特徴とする、音楽プレーヤ。
【請求項２】
楽曲データを楽曲データ記憶部から読み出して再生する携帯型のケースに納められた音楽プレーヤに於いて、複数種類の楽器演奏データを記憶するための楽器演奏データ記憶部と、後述する複数個のスイッチの何れか一が操作された時に、この操作されたスイッチに対応する前記楽器演奏データを前記楽器演奏データ記憶部から読み出して前記楽曲データに重畳して出力する重畳部とから成る電子楽器を前記ケースに内蔵すると共に、前記ケースとは別に前記複数の楽器演奏データの各々に対応して再生のトリガとなる複数個のスイッチを有するスイッチボックスを備えており、前記ケース及び前記スイッチボックスは衣類などのポケットに入る程度の小さなサイズのものであり、且つ前記複数個のスイッチの各々がポケットの中に入れたまま手探りで複数種類の前記楽器演奏データの何れに対応するものであるかが分かるように設けられていることを特徴とする、音楽プレーヤ。
【請求項３】
前記ケースの形状と前記スイッチとの位置関係から、スイッチと楽器演奏データとの対応関係が分かるように構成されている、請求項１に記載の音楽プレーヤ。
【請求項４】
前記スイッチボックスの形状と前記スイッチとの位置関係から、スイッチと楽器演奏データとの対応関係が分かるように構成されている、請求項２に記載の音楽プレーヤ。
【請求項５】
前記スイッチは各々の形状が異なるものであることにより、スイッチと楽器演奏データとの対応関係が分かるように構成されている、請求項１または請求項２に記載の音楽プレーヤ。
【請求項６】
前記スイッチは各々に設けられた突起などの識別手段が異なるものであることにより、スイッチと楽器演奏データとの対応関係が分かるように構成されている、請求項１または請求項２に記載の音楽プレーヤ。
【請求項７】
前記複数個のスイッチの位置関係により、スイッチと楽器演奏データとの対応関係が分かるように構成されている、請求項１または請求項２に記載の音楽プレーヤ。
【請求項８】
前記複数種類の楽器演奏データが何れも打楽器の演奏データである、請求項１または請求項２に記載の音楽プレーヤ。
【発明の詳細な説明】
【技術分野】
【０００１】  この発明は、各種の音声ファイルフォーマット形式で圧縮された楽曲データ等に、ドラム等の各種楽器演奏データを合成して聞かせる電子楽器を内蔵する音楽プレーヤに係り、特にこの発明の音楽プレーヤをポケットに入れたままの手探り状態で、複数種類の前記楽器演奏データの中から一を選択するための複数個のスイッチを的確に操作し得るようにしたり、複数個のスイッチを一々見て確認することなく手探りの状態で的確に操作し得るようにしたことを特徴とする音楽プレーヤに関するものである。
【背景技術】
【０００２】  音楽再生装置（音楽プレーヤ）から聞こえる音楽に合わせて身体を動かしリズムを取ると言うようなことは日常良く見られる音楽の楽しみ方の一つである。近年超小型でありながらも膨大な記憶容量を有したＭＰ３形式等の音楽データを再生するための携帯型のミュージック・プレーヤが普及して来ており、通勤通学途中などどこにいても音楽等を楽しむことが出来るようになっている。
【発明の概要】
【発明が解決しようとする課題】
【０００３】  しかしながら音楽に合わせて身体を動かしリズムを取ることから一歩進めて、実際にドラム等の打楽器の音やその他の楽器の音を発生することが可能で、この音を前記音楽に合成し得るようなものがあれば、より本格的に音楽を楽しむことが出来るはずである。【０００４】  一方このように自分でドラムやその他の楽器を演奏しているかのようにリズムが取れるとは言っても、例えば通勤通学の電車内で足でリズムを刻んだり、腕を振ったり指を叩くような仕草を目立たせたくないと言う場合がある。あるいは他の人に見られるのは好ましくないとする場合がある。今日ではイヤホンやヘッドホンを付けて音楽を聞く姿は一般的なものとなってはいるが、それ以上の行為は憚られるのが一般的な感覚だからである。【０００５】  従ってこの発明は、聞いている音楽に合わせて自分でドラム等の楽器を演奏しているかのようにして実際にドラム等の楽器の音を発生させ音楽に合成（重畳）させて聞くことを可能にするのであるが、その行為（演奏操作）が人に目立たないないようにしたり他の人からは見えないようにするも、的確に（どのスイッチを操作すればどの音が鳴るかが分かるようになっている状態で）演奏することが出来るような、そうした音楽プレーヤを提供することを課題とする。
【課題を解決するための手段】
【０００６】  上記課題は、楽曲データを楽曲データ記憶部から読み出して再生する携帯型のケースに納められた音楽プレーヤに於いて、複数種類の楽器演奏データを記憶するための楽器演奏データ記憶部と、前記複数の楽器演奏データの各々に対応して再生のトリガとなる複数個のスイッチと、前記複数個のスイッチの何れか一が操作された時に、この操作されたスイッチに対応する前記楽器演奏データを前記楽器演奏データ記憶部から読み出して前記楽曲データに重畳して出力する重畳部とから成る電子楽器を前記ケースに内蔵すると共に、前記ケースは衣類などのポケットに入る程度の小さなサイズのものであり、且つ前記複数個のスイッチの各々がポケットの中に入れたまま手探りで複数種類の前記楽器演奏データの何れに対応するものであるかが分かるように設けられていることを特徴とする音楽プレーヤとすることにより達成される。【０００７】  複数個のスイッチは複数種の楽器演奏データに一対一で対応しているため、何れか一の前記スイッチが操作されると、重畳部はこれに対応する楽器演奏データを楽器演奏データ記憶部から読み出して楽曲データに重畳して出力する。この際に何れのスイッチを操作しても異なる楽器演奏データの演奏が聞かれるようになっている。なお楽器演奏データの重畳は、楽曲データが演奏されている場合に限っても良いし、楽曲データが演奏されていない時にはスイッチが操作されても楽器演奏データを再生出力しないように設計しても良い。【０００８】  このケースはポケットに収納出来る程度の小さなサイズのものとされており、前記複数個のスイッチの各々がポケットの中に入れたまま手探りで複数の楽器演奏データの何れに対応するものであるかが分かるように設けられていることから、ポケットから取り出すことなく打楽器などの楽器の演奏を自由に行うことが出来る。この構成によりたとえ通勤通学の電車内であったとしても他人に気付かれることがないため、他人の目を気にする必要がないのである。【０００９】  ところで上記課題は、楽曲データを楽曲データ記憶部から読み出して再生する携帯型のケースに納められた音楽プレーヤに於いて、複数種類の楽器演奏データを記憶するための楽器演奏データ記憶部と、後述する複数個のスイッチの何れか一が操作された時に、この操作されたスイッチに対応する前記楽器演奏データを前記楽器演奏データ記憶部から読み出して前記楽曲データに重畳して出力する重畳部とから成る電子楽器を前記ケースに内蔵すると共に、前記ケースとは別に前記複数の楽器演奏データの各々に対応して再生のトリガとなる複数個のスイッチを有するスイッチボックスを備えており、前記ケース及び前記スイッチボックスは衣類などのポケットに入る程度の小さなサイズのものであり、且つ前記複数個のスイッチの各々がポケットの中に入れたまま手探りで複数種類の前記楽器演奏データの何れに対応するものであるかが分かるように設けられていることを特徴とする音楽プレーヤとすることによっても達成される。【００１０】  この請求項２の発明が上述した請求項１の発明と異なる点はただ一つである。すなわち請求項２の発明では、前記楽器演奏データの再生と重畳に必要な複数個のスイッチをスイッチボックスとして、楽��データの再生と楽器演奏データの再生とこれ等の重畳とを行う回路を内蔵した前記ケースから独立させている点にある。従ってポケットの中でこのスイッチボックスを操作するだけで打楽器などの楽器の演奏を自由に行うことが出来る。このことはまたポケットの外であっても前記複数個のスイッチのタッチ操作（コンピュータのキーボードのタッチタイピングのように見ないでする操作）を行い得ることを意味するのである。なおこのスイッチボックスを、イヤホンのコードに設けた、楽曲データの再生や一時停止や、早送り巻戻しや、ボリューム調整などの操作を行う操作部に設定することが可能である。【００１１】  次に請求項３の発明は請求項１の発明に関して、前記ケースの形状と前記スイッチとの位置関係から、スイッチと楽器演奏データとの対応関係が分かるように構成されているものである。また請求項４の発明は請求項２の発明に関して、前記スイッチボックスの形状と前記スイッチとの位置関係から、スイッチと楽器演奏データとの対応関係が分かるように構成されているものである。これは例えば前記ケースやスイッチボックスが回転対称の形状を呈しており且つスイッチの配置も回転対称であるとすると、ポケットの中で手探りしたのでは、どの音がどのスイッチで出るのかがまったくの当て推量になってしまう。しかしながらケースやスイッチボックスの形状を工夫することで、手探りでも所要のスイッチの在処が分かるようになる。【００１２】  次に請求項５の発明は請求項１または請求項２の発明に関して、前記スイッチは各々の形状が異なるものであることによって、スイッチと楽器演奏データとの対応関係が手探りでも分かるように構成されているものである。これは例えば３つのスイッチを設ける場合では、一例○☆□などとすればすぐに形状が分かるので、対応する演奏音も手探りで分かることになる。【００１３】  次に請求項６の発明は請求項１または請求項２の発明に関して、前記スイッチは各々に設けられた突起などの識別手段が異なるものであることによって、スイッチと楽器演奏データとの対応関係が分かるように構成されているものである。例えば前記スイッチのクリック感を各々異なるようにしたり、前記スイッチ毎に表面素材や表面模様を違えてみたりすることによって識別手段とすることが出来るのである。【００１４】  次に請求項７の発明は請求項１または請求項２の発明に関して、前記複数個のスイッチの位置関係により、スイッチと楽器演奏データとの対応関係が分かるように構成されているものである。例えば円形のケースに３つのスイッチを設ける場合では、一例として周縁部に一つ、残りの二つを周縁部を外して非対称に設けるようにすると、周縁部の一つが判別の目印となって全てのスイッチが判別されることになる。【００１５】  次に請求項８の発明は請求項１または請求項２の発明に関して、前記複数種類の楽器演奏データが何れも打楽器の演奏データであるものとしている。この発明では各種の楽器を模すことが出来るが、音楽に合わせて身体を動かしてリズムを取る目的により適っているのは打楽器であるとも考えられる。従ってこの場合のこの音楽プレーヤは電子打楽器でもある。
【発明の効果】
【００１６】  この発明の音楽プレーヤによれば、この出力である音楽等を聞きながらこれに合わせて自分でドラム等の楽器を演奏しているかのようにして、実際に楽器の音を発生させて音楽に合成させて聞くことが出来る。そしてこの際に、請求項１の発明の音楽プレーヤ（前記ケース）をポケットに入れたままでも、或いは請求項２の発明の音楽プレーヤの前記スイッチボックスをポケットに入れたままでも、どのスイッチを押せばどの音が鳴るかが分かるように構成されているものであることによって、スイッチを見ることなくポケットの中で操作することが可能であり、これにより楽器を演奏していることが他人からは見えないようにして遊ぶことが出来ると言う効果を奏する。
【図面の簡単な説明】
【００１７】
【図１】  第１実施形態の音楽プレーヤ１の、（ａ）は正面視による説明図であり（ｂ）は背面視による説明図である。
【図２】  同実施形態の回路基板２のブロック図である。
【図３】  同実施形態の動作状態を参考的に表すフローチャートである。
【図４】  第２実施形態の音楽プレーヤのスイッチボックス１７を表す説明図である。
【図５】  （ｃ）は第３実施形態の音楽プレーヤ３を背面視したものであり、（ｄ）は第４実施形態の音楽プレーヤのスイッチボックス３５を表す説明図である。
【図６】  （ｅ）は第５実施形態の音楽プレーヤ４を背面視したものであり、（ｆ）は第６実施形態の音楽プレーヤのスイッチボックス４５を表す説明図である。
【図７】  （ｇ）は第７実施形態の音楽プレーヤ５を背面視したものであり、（ｈ）は第８実施形態の音楽プレーヤのスイッチボックス５４を表す説明図である。
【図８】  （ｉ）は第９実施形態の音楽プレーヤ６を背面視したものであり、（ｊ）は第１０実施形態の音楽プレーヤのスイッチボックス６５を表す説明図である。
【図９】  第１１実施形態の音楽プレーヤの回路基板７のブロック図である。
【図１０】  第１２実施形態の音楽プレーヤの回路基板２７のブロック図である。
【発明を実施するための形態】
【００１８】  以下この発明の１２の実施の形態を図面を参照しながら説明するが、この発明はこれ等の実施形態にのみ限定されるものではない。
【第１実施形態】
【００１９】  この実施形態の音楽プレーヤ１の全体は楕円形状であるが、一部にケース湾曲部１０を有してこの部位に親指の付け根の膨らみが当るように握られる。図１の（ａ）は音楽プレーヤ１を正面視したものであり、選曲画面や再生中のプログレスバーの表示等々を行うための表示画面１６と、これ等の操作を行うための操作スイッチ１６とを有する。また図１の（ｂ）は音楽プレーヤ１を背面視したものであり、ここに３つのスイッチ１１，１２，１３を有する。なお前記ケース湾曲部１０を握った指の人差し指〜薬指が当る位置に前記スイッチ１１，１２，１３が設けられている。このようなケースの形状とスイッチの配置とを備えているため、ポケットに入れたままでも上述のような握り方をすることでどのスイッチが何であるかが手探りの状態でも分かるのである。符号１４はこの音楽プレーヤ１の出力端子であり、ここにイヤホンやアンプ付きの外部スピーカが接続される。
【００２０】  この音楽プレーヤ１の内部には回路基板２が納められており、ここには３つのドラム音を記録するためのドラムデータ記憶部２０と、このドラムデータ記憶部２０からドラムデータを読み出してデコードするコーデック２２と、コーデック２２から出力されるアナログ情報としてのドラム音と、後述するプレーヤ２６から出力された音楽とをミキシング（重畳）するミキサ２３と、ミキシング処理を制御する重畳制御部２１と、上述した３つのドラム音の内から１つを選んで押すためのスイッチ１１，１２，１３とから構成されている。またユーザーが上述の操作スイッチ１６を操作することで選曲が為されると、選曲された楽曲データは再生制御部２５によって楽曲データ記憶部２４から読み出され、プレーヤ２６で再生され、前記ミキサ２３を通って出力端子１４に出力される。再生制御部２５は選曲の他に、一時停止や停止、早送りや早戻し、スキップ、各種の画面表示等の動作を司っている。すなわち再生制御部２５は画面表示部を備えている。
【００２１】  ３つのスイッチ１１，１２，１３が何れも押されていないＯＦＦの状態では、前記プレーヤ２６から出力された音楽はそのまま出力端子１４を経てヘッドホンに出力される。ここまでは音楽にドラム音を重畳させない場合の使用法である。次に音楽にドラム音を重畳させたくなった場合には３つのスイッチ１１，１２，１３の何れか一を押すように操作すると図３のフローチャートで示すように重畳制御部２１がＯＮ状態のスイッチに対応するデジタル情報としてのドラムデータをドラムデータ記憶部２０から読み出し（ステップＳ１０）、このドラムデータをコーデック２２にデコードさせ（ステップＳ１１）、この出力であるアナログ情報としてのドラム音を前記プレーヤ２６で再生され出力されたアナログ情報としての音楽と共にミキサ２３でミキシング処理を行う（ステップＳ１２）。このドラム音が重畳された音楽は出力端子１４に出力され（ステップＳ１３）、出力端子１４に接続されたヘッドホンを通して聞かれることになる。
【第２実施形態】
【００２２】  ところで上述の第１実施形態では、音楽プレーヤ１の本体裏面に３つのドラム音の内から１つを選んで押すためのスイッチ１１，１２，１３を備えて、ケースの形状とスイッチの配置との関係から、ポケットに入れたままでも上述のような握り方をすることで、スイッチの種類を手探りの状態でも見分けることを可能にしていた。これに対して第２実施形態は、前記スイッチ１１，１２，１３と同じ働きをする３つのスイッチ１０１，１０２，１０３を、イヤホンケーブルの途中に取り付けたスイッチボックス１７に設けている。このスイッチボックス１７の外形状は側面の一側がケース平坦部１８となっており、他側がケース湾曲部１９となっていることにより、ポケットやバッグに入れたままの操作でもタッチ操作でも、３つのスイッチ１０１，１０２，１０３のどれが何のスイッチであるかがスイッチを直接見なくても簡単に分かるようになっている。
【００２３】  スイッチボックス１７は音楽プレーヤ１に接続されて前記ケース平坦部１８に設けられた操作スイッチ１００を操作することで、選曲、一時停止や停止、早送りや早戻し、スキップ等々が、音楽プレーヤの本体に触れないでも操作し得るように設計されている。なお図中で符号１０４はイヤホンへ繋る出力端子を指し、符合１０５は音楽プレーヤ１へ繋る入力端子を指す。
【００２４】  なおスイッチボックス１７が３つのスイッチ１０１，１０２，１０３を備えているため、音楽プレーヤ１の本体裏面の３つのスイッチ１１，１２，１３を不要とする設計が可能である。何れにせよ前記重畳制御部２１が出力端子１４を介してスイッチ１０１，１０２，１０３の制御を行う。
【第３実施形態】
【００２５】  図５（ｃ）で表したこの実施形態の音楽プレーヤ３は、その内部に納められた回路基板に付いては上述の第１実施形態のそれに倣うものであるが、特に３つのスイッチ３１，３２，３３の配置に特徴を有しており、この特徴の故にこの音楽プレーヤ３をポケットに入れたままであってもどのスイッチが何であるかが手探りの状態で分かるようになっている。
【００２６】  すなわち第１のスイッチ３１が、音楽プレーヤ３のケースの中心線３０の位置に配置され、第２のスイッチ３２は中段に於いて中心線３０から左に外れるように配置され、第３のスイッチ３３は下段に於いて中心線３０から右に外れるように配置されている。従ってこの配置になるのはケースを正しくこの位置に向けた時のみであって、例えばこれを逆さまに握った状態ではこのスイッチの配置は得られないようになっている。なお図中で符号３４は、イヤホンへ繋る出力端子を指す。
【第４実施形態】
【００２７】  図５（ｄ）は上述した音楽プレーヤ３のケースと３つのスイッチとの配置関係を、この実施形態のスイッチボックス３５に適用して成るものに関する。第１のスイッチ３７はスイッチボックス３５の中心線３６の上に配置されており、第２のスイッチ３８は中段に於いて中心線３６から左に外れるように配置され、また第３のスイッチ３９は下段に於いて中心線３６から右に外れるように配置されている。なお符号３００は出力端子を、また符号３０１は入力端子を指している。そしてスイッチボックス３５と３つのスイッチ３７，３８，３９との配置関係を体得してしまえば、タッチ操作によってスイッチ３７，３８，３９を使い分けることが出来るようになる。なお図５（ｄ）中で符号３００はイヤホンへ繋る出力端子を指し、符合３０１は音楽プレーヤへ繋る入力端子を指す。
【００２８】  なお図５（ｃ）の音楽プレーヤ３と図５（ｄ）のスイッチボックス３５とは、図示の都合上、縦幅が同じになるように表わされているが、実際のサイズは音楽プレーヤ３よりもスイッチボックス３５の方が小さいのが一般的である。これは後述する他の実施形態でも同様である。
【第５実施形態】
【００２９】  図６（ｅ）で表したこの実施形態の音楽プレーヤ４は、その内部に納められた回路基板に付いては上述の第１実施形態のそれに倣うものであるが、特に３つのスイッチ４１，４２，４３の配置に特徴を有しており、この特徴の故にこの音楽プレーヤ４をポケットに入れたままであってもどのスイッチが何であるかが手探りの状態で分かるようになっている。
【００３０】  すなわちケースの中心線４０の位置に、「○□△」の形状が異なる３つのスイッチ４１，４２，４３を並べて配置したものである。この「○□△」をその感触で覚えてしまえば、この音楽プレーヤ４をポケットに入れたままであってもどのスイッチが何であるかが手探りで分かる。この配置を覚えるのは誰にでも極めて容易である。なお図中で符号４４はイヤホンへ繋る出力端子を指す。
【第６実施形態】
【００３１】  図６（ｆ）は、上述した音楽プレーヤ４の３つのスイッチ４１，４２，４３に於ける配置の特徴を、この実施形態のスイッチボックス３５に適用して成るものに関する。スイッチボックス４５の中心線４６の位置に「○□△」の形状が異なる３つのスイッチ４７，４８，４９を並べて配置して成る。この構成によりこれ等３つのスイッチ４７，４８，４９を見ないでも手探りで操作することが可能になっている。なお図中符号４００はイヤホンへ繋る出力端子を指し、符合４０１は音楽プレーヤへ繋る入力端子を指す。
【第７実施形態】
【００３２】  図７（ｇ）で表したこの実施形態の音楽プレーヤ５は、その内部に納められた回路基板に付いては上述の第１実施形態のそれに倣うものであるが、特に３つのスイッチ５１，５２，５３の配置に特徴を有しており、この特徴の故にこの音楽プレーヤ５をバッグやポケットに入れたままであってもどのスイッチが何であるかが手探りの状態で分かるようになっている。なお図中で符号５０はイヤホンへ繋る出力端子を指している。
【００３３】  ケースの全体は円形状を呈しており、３つのスイッチ５１，５２，５３が３回対称の位置に配置されていると共に、それぞれのスイッチにはそれと分かる突起の目印がスイッチ５１には１個、スイッチ５２には２個、スイッチ５３には３個設けられている点に特徴を有している。この突起の目印があることにより３つのスイッチ５１，５２，５３はその何れがどのドラム音に対応するものであるかが手探りでも分かるようになる。
【第８実施形態】
【００３４】  図７（ｈ）は、上述した音楽プレーヤ５の３つのスイッチ５１，５２，５３に判別可能に設けた突起の目印の特徴を、この実施形態のスイッチボックス５４にも適用したものである。楕円形状のスイッチボックス５４に突起の目印が１個のスイッチ５５と、突起の目印が２個のスイッチ５６と、また突起の目印が３個のスイッチ５７とを設けて、手探り状態でも容易に判別出来るようにしたものである。なお図７（ｈ）中で符号５８はイヤホンへ繋る出力端子を指し、符合５９は音楽プレーヤへ繋る入力端子を指す。
【第９実施形態】
【００３５】  図８（ｉ）で表したこの実施形態の音楽プレーヤ６は、その内部に納められた回路基板に付いては上述の第１実施形態のそれに倣うものであるが、特に３つのスイッチ６１，６２，６３の配置に特徴を有しており、この特徴の故にこの音楽プレーヤ６をバッグの中などに入れたまま手探りするだけでどのスイッチが何であるかが分かるようになっている。なお図中符号６４はイヤホンへ繋る出力端子を指している。
【００３６】  すなわちこの音楽プレーヤ６には、一番大きなスイッチ６１と、２番目に大きなスイッチ６２と、一番小さなスイッチ６３とが設けられている。なお符号６０は中心線を指す。またこれは特に重要な特徴ではないのであるが３つのスイッチ６１，６２，６３は中心線６０に対して上述した第２実施形態の配置と同じような配置を取っている。何れにせよこれ等３つのスイッチ６１，６２，６３の大きさが異なることによって、音楽プレーヤ６がポケットに入れたままであっても、どのスイッチを押せばどのドラム音が聞かれるかが手探りの状態で分かるようになっている。
【第１０実施形態】
【００３７】  図８（ｊ）は、上述した音楽プレーヤ６の３つのスイッチ６１，６２，６３に於ける配置の特徴を、この実施形態のスイッチボックス６５に適用して成るものに関する。スイッチボックス６５の中心線６６の位置に一番大きなスイッチ６７と、２番目に大きなスイッチ６８と、一番小さなスイッチ６９とを並べて配置して成る。図８（ｊ）中符号６００はイヤホンへ繋る出力端子を指し、符合６０１は音楽プレーヤへ繋る入力端子を指す。
【第１１実施形態】
【００３８】  図９はこの実施形態の音楽プレーヤの回路基板７をブロック図で表したものであるが、上述の第１実施形態のものに録音部７４と入力端子８５と録音スイッチ８６とを設けた点に特徴を有している。この入力端子８５には外部の音源が接続されて、音源が用意したドラムデータを録音部７４がこの入力端子８５を介して取り込みドラムデータ記憶部７０に記憶する。入力端子８５に接続される音源にはシンセサイザやパーソナルコンピュータや携帯電話機を上げることが出来る。従ってインターネット接続によってダウンロードすることが可能な携帯電話機からドラムデータをダウンロードして、或いは自作のドラムデータをシンセサイザやパーソナルコンピュータから取り込んで、ドラムデータ記憶部７０に記憶させておき利用することが可能になる。
【００３９】  なお図中符号７は回路基板を、７０はドラムデータ記憶部を、７１は重畳制御部を、７２はコーデックを、７３はミキサを、８１〜８３はスイッチを、８４は出力端子を、８５は入力端子を、８６は前記録音部７４をＯＮ状態にするための録音スイッチを指す。
【００４０】  なお上述した音楽プレーヤの３つのスイッチ８１，８２，８３を回路基板７から独立させて上述したようなスイッチボックスに設けるようにしても良い。また録音スイッチ８６をこのスイッチボックスに設けるようにすることが出来る。
【第１２実施形態】
【００４１】  図１０はこの実施形態の音楽プレーヤの回路基板２７をブロック図で表したものである。上述の第１〜第１１実施形態のものが音楽プレーヤでも打楽器の音の重畳に関するものであると共に、各々のスイッチが押しボタンスイッチであるのに対して、この実施形態は打楽器ではない効果音を重畳させて出力するであると共に、各々のスイッチがスライダック９１，９２及び９３を備えたものである点に特徴を有する。すなわちスライダック９１，９２，９３（その外観形状は図示せず）の配置などから、ポケットに入れたままでもどのスライダックが何であるかが手探りの状態で分かるように構成されている。
【００４２】この音楽プレーヤは外部に出力端子９４を備えており、ここにはヘッドホンが接続される。また内部に納められた回路基板２７には３つの効果音を記録するための効果音データ記憶部２８と、この効果音データ記憶部２８から効果音データを読み出して来てデコードするコーデック２２と、コーデック２２から出力されるアナログ情報としての効果音と、後述するプレーヤ２６から出力された音楽とをミキシング（重畳）するミキサ２３と、これら各部を制御するための重畳制御部２９と、３つの効果音の内から１つを選んでテンポを増減したり再生を逆転させたりするために、左右何れの方向にも回転可能に設けられた（その外観形状は図示しないが、ターンテーブルを模したものである）スライダック９１，９２，９３とから構成されている。またユーザーによる選曲が為されると、選曲された楽曲データは再生制御部２５の動作によって楽曲データ記憶部２４から読み出され、プレーヤ２６で再生され、上述したミキサ２３を通って出力端子４４に出力される。なお再生制御部２５は選曲の他に、一時停止や停止、早送りや早戻し、スキップ、各種の画面表示等々の動作を司っている。すなわち再生制御部２５は図示しない画面表示部を備えている。
【００４３】  ３つのスライダック９１，９２，９３が何れも回転させられていないＯＦＦの状態では、プレーヤ２６で再生された音楽はそのまま出力端子９４を経てヘッドホンに出力されるのであるが、３つのスライダック９１，９２，９３の何れか一を左右何れかの方向に回すように操作するとＯＮとなり、前記重畳制御部２９がＯＮ状態のスイッチに対応するデジタル情報としての効果音データを前記効果音データ記憶部２８から読み出して、効果音データをコーデック２２にデコードさせて、この出力であるアナログ情報としての効果音をプレーヤ２６で再生されたアナログ情報としての音楽と共にミキサ２３でミキシング処理を行う。この効果音が重畳された音楽は出力端子９４に出力されて、ヘッドホンを通して聞かれることになる。ここで特筆すべきは、前記重畳制御部２９の動作であり、すなわちスライダックが左右何れの方向にどのような速さで回転させられているかを検出して、効果音データ記憶部２８から読み出した効果音データに正転・逆転の再生を行ったり、テンポを増減したりする効果を与えていることである。従ってこの実施形態の音楽プレーヤを用いれば、ユーザーはこれをポケットに入れたままで恰もＤＪスクラッチのような遊びを楽しむことが出来るのである。
【００４４】  なお上述した３つのスライダック９１，９２，９３を回路基板２７から独立させて、上述したようなスイッチボックスに設ける設計が可能である。
【その他の実施形態】
【００４５】  例えば上述の第１実施形態の音楽プレーヤ１の回路基板２では、ドラムデータ記憶部２０と楽曲データ記憶部２４とを別々に設けているが、これを一つに纒める設計も可能である。これは他の実施形態に於いても同様である。
【産業上の利用可能性】
【００４６】  この発明の音楽プレーヤはドラムデータ等の記憶部に着脱自在なカードメモリ等々の外部メモリを使用する設計とすることが可能である。またこの発明の音楽プレーヤは音楽にドラム音等の楽器音を合成して楽しむ用途に限られないから、例えば英会話の録音を聞きながらドラム音を合成してリズムを取ることは英会話学習への集中力を高める場合があり、このような用途のための構成とすることが出来る。これ等もまたこの発明の権利範囲内のものである。
【符号の説明】
【００４７】１    音楽プレーヤ
１０  ケース湾曲部
１１，１２，１３  スイッチ
１４  出力端子
１５  表示画面
１６  操作スイッチ
１７  スイッチボックス
１８  ケース平坦部
１９  ケース湾曲部
１００操作スイッチ
１０１，１０２，１０３  スイッチ
１０４  出力端子
１０５  入力端子
２    回路基板
２０  ドラムデータ記憶部
２１  重畳制御部
２２  コーデック
２３  ミキサ
２４  楽曲データ記憶部
２５  再生制御部
２６  プレーヤ
２７  回路基板
２８  効果音データ記憶部
２９  重畳制御部
３    音楽プレーヤ
３０  中心線
３１，３２，３３  スイッチ
３４  出力端子
３５  スイッチボックス
３６  中心線
３７，３８，３９  スイッチ
３００出力端子
３０１入力端子
４    音楽プレーヤ
４０  中心線
４１，４２，４３  スイッチ
４４  出力端子
４５  スイッチボックス
４６  中心線
４７，４８，４９  スイッチ
４００出力端子
４０１入力端子
５    音楽プレーヤ
５０  出力端子
５１，５２，５３  スイッチ
５４  スイッチボックス
５５，５６，５７  スイッチ
５８  出力端子
５９  入力端子
６    音楽プレーヤ
６０  中心線
６１，６２，６３  スイッチ
６４  出力端子
６５  スイッチボックス
６６  中心線
６７，６８，６９  スイッチ
６００出力端子
６０１入力端子
７    回路基板
７０  ドラムデータ記憶部
７１  重畳制御部
７２  コーデック
７３  ミキサ
７４  録音部
７５  再生制御部
７６  プレーヤ
７７  楽曲データ記憶部
８１，８２，８３  スイッチ
８４  出力端子
８５  入力端子
８６  録音スイッチ
９１，９２，９３  スライダック
９４  出力端子
【図１】
2012008509.tif 000003
【図２】
2012008509.tif 000004
【図３】
2012008509.tif 000005
【図４】
2012008509.tif 000006
【図５】
2012008509.tif 000007
【図６】
2012008509.tif 000008
【図７】
2012008509.tif 000009
【図８】
2012008509.tif 000010
【図９】
2012008509.tif 000011
【図１０】
2012008509.tif 000012